(57)【要約】【課題】本発明は、手触りを向上させ、防水することができるハウジングを提供できる。【解決手段】本発明は、本体と、その本体の上に形成され、且つ皮革又は織物から構成される柔軟層と、その柔軟層の上に形成される防水層と、を含むハウジングを提供する。前記本体の表面に、柔軟層が形成されているので、ハウジングの手触りを向上させ、外観を美しくすることができる。又、前記柔軟層の表面に防水することができる防水層が形成されているので、水又水分により、柔軟層が硬くなるか、脆くなることを防ぐことができる。【選択図】図１
2009149369.tif 000002
【特許請求の範囲】
【請求項１】
本体と、その本体の上に形成される柔軟層と、その柔軟層の上に形成される防水層と、を含むことを特徴とするハウジング。
【請求項２】
防水層の材料として、ポリビニルアルコール(polyvinyl acetate、ＰＶＡ)、ポリアクリレート（polyacrylate）、ポリスチレン（polystyrene）、ポリビニールクロライド（polyvinyl chloride、ＰＶＣ）、ポリスルフィド（polysulfide）、オルガノシリコンポリマー（organo silicon polymer）等を単独或いは混合して用いることを特徴とする請求項１に記載のハウジング。
【請求項３】
前記防水層には、パラフィン（paraffin）、動植物の脂肪を少し添加されていることを特徴とする請求項２に記載のハウジング。
【請求項４】
前記防水層の材料として、ポリウレタン（polyurethane）、ポリテトラフルオロエチレン（polytetrafluoroethylene）、ポリエステル（Polyester）などを採用することを特徴とする請求項１に記載のハウジング。
【請求項５】
前記柔軟層が皮革、織物、布の中の何れか一種から構成されることを特徴とする請求項１に記載のハウジング。
【請求項６】
前記皮革と、織物及び布を、天然皮革、人造皮革、綿織物、繊維織物、プラスチック織物、ナイロン織物などで選択することを特徴とする請求項５に記載のハウジング。
【請求項７】
前記本体の材料として、プラスチック、ゴム、シリコーンなどを採用することができることを特徴とする請求項１に記載のハウジング。
【請求項８】
前記柔軟層は、表面に微小な凹凸部が多く形成される接着面を含み、射出成型方法で前記本体を形成する場合、その本体を形成する溶融状態の材料が前記接着面の微小な凹凸部に入るので、基板が前記柔軟層に緊密に接着されることを特徴とする請求項１に記載のハウジング。
【発明の詳細な説明】
【技術分野】
【０００１】
本発明は、ハウジングに関し、特に柔軟層が水又は水分により、硬くなるか、脆くなることを防ぐことができるハウジングに関するものである。
【背景技術】
【０００２】
技術の発展に伴って、携帯電話、ノートパソコン、携帯情報端末(Personal Digital Assistant、ＰＤＡと略称)などの電子装置が広く使用されている。使用者は、前記電気装置の各種の機能に対して要求を提出するばかりでなく、電子装置の外観と手触りに対しても新しい要求を提出している。
【０００３】
前記電子装置の外部には、電子装置の各種の部品を保護するハウジングが設置されている。前記ハウジングは、通常プラスチックを材料とし、射出成型方法で製造したものである。射出成型方法で製造した成形品は、重さが小さく、製造コストが安く、製造方法が簡単である利点があるので、各種の領域に広く使用されている。
【０００４】
前記ハウジングの手触りを向上させ、外観を美しくするために、通常前記ハウジングの表面に皮革又は織物などを形成する。前記皮革（又は織物）が前記ハウジングの表面から落ちることを防ぐために、通常皮革とハウジングの表面との間に接着層を設置して、皮革（又は織物）とハウジングが緊密に接着するようにする。しかし、前記皮革に防水層が設置されないので、皮革（又は織物）が水又は水分により、硬くなるか、脆くなる可能性がある。即ち、前記皮革（又は織物）が、水に浸透されか、空気中の水分を吸収ことによって、硬くなるか、脆くなる問題がある。従って、ハウジングの手触りと外観が悪くなる。
【発明の開示】
【発明が解決しようとする課題】
【０００５】
以上の問題点に鑑みて、本発明は、手触りを向上させ、柔軟層を保護することができるハウジングを提供するのが目的とする。
【課題を解決するための手段】
【０００６】
前記問題を解決するために、本体と、その本体の上に形成され、且つ皮革又は織物から構成される柔軟層と、その柔軟層の上に形成される防水層と、を含むハウジングを提供する。
【発明の効果】
【０００７】
前記ハウジングにおいて、前記本体の表面に、皮革又は織物から構成される柔軟層が形成されているので、ハウジングの手触りを向上させ、外観を美しくすることができる。又、前記柔軟層の表面に防水することができる防水層が形成されているので、水又は水分により、前記柔軟層が硬くなるか、脆くなることを防ぐことができる。
【発明を実施するための最良の形態】
【０００８】
以下、図面に基づいて、本発明の実施形態に係るハウジングに対して詳細に説明する。
【０００９】
図１は、本発明の実施形態に係るハウジング１００の断面図である。前記ハウジング１００は、本体１０と、その本体１０の表面の上に形成される柔軟層２０と、その柔軟層２０の表面の上に形成される防水層３０と、を含む。前記ハウジング１００は、携帯電話、ノートパソコン、携帯情報端末(Personal Digital Assistant、ＰＤＡと略称)などの電子装置に使用されるハウジング、又は、筆入れ、コプなどの各種の容器を指す。
【００１０】
前記本体１０は、射出成型方法で射出して形成したものである。前記本体１０の材料として、プラスチック、ゴム、シリコーンなどを採用することができる。前記プラスチック材料として、ポリ塩化ビニル樹脂（Polyvinyl Chloride、ＰＶＣ）、ポリエチレンテレフタレート（Polyethylene Terephthalate 、ＰＥＴ）、アクリロニトリルブタジエンスチレン（Acrylonitorile Butadiene Styrene、ＡＢＳ）、ポリカーボネート（Polycarbonate、ＰＣ）、ポリイミド（Polyimide 、ＰＩ)、液晶高分子（Liquid Crystal Polymer 、ＬＣＰ)、ポリエーテルイミド（Polyetherimide、ＰＥＩ）、ポリフェニレンサルファイド（Polyphenylene Sulfide、ＰＰＳ)、ポリスチレン（Polystyrene、ＰＳ)、ポリプロピレン（P olypropylene、ＰＰ) 等を単独或いは混合して用いることができる。好ましくは、アクリロニトリルブタジエンスチレン（ＡＢＳ）又はポリカーボネート（ＰＣ）を前記本体１０を形成する材料とする。
【００１１】
前記柔軟層２０は、皮革、織物、布の中の何れか一種から構成される。前記皮革と、織物及び布は、天然皮革、人造皮革、綿織物、繊維織物、プラスチック織物、ナイロン織物などから選択することができる。本実施形態において、好ましくは、人造皮革、綿織物又はナイロン織物から構成される柔軟層２０を選択する。
【００１２】
前記柔軟層２０は、前記本体１０の上表面と接着する接着面（図示せず）を含む。前記接着面は、表面に微小な凹凸部が多く形成される粗い表面である。前記接着面は、前記柔軟層２０を製造する場合直接形成されるものであるか、つるつるの表面に対して研磨を実施して形成した表面である。
【００１３】
射出成型方法で前記本体１０を形成する場合、その本体１０を形成する溶融状態の材料が前記柔軟層１２に接着されるので、本体１０と柔軟層２０が一体に密着されることができる。前記本体１０と前記柔軟層２０の接着面との間に接着面で、前記本体１０を形成する溶融の材料が前記接着面の微小な凹凸部に入るので、両者の間の接着力が向上される。又、前記本体１０と前記柔軟層２０の接着面との間の接続面積が増加されるので、両者の間の接着力がさらに向上されることができる。
【００１４】
前記防水層３０は、前記皮革又は織物を防水用液体に一定時間浸した後、乾燥させて形成した弾性透明層である。防水層３０の材料として、前記ポリビニルアルコール(polyvinyl acetate、ＰＶＡ)、ポリアクリレート（polyacrylate）、ポリスチレン（polystyrene）、ポリビニールクロライド（polyvinyl chloride、ＰＶＣ）、ポリスルフィド（polysulfide）、オルガノシリコンポリマー（organo silicon polymer）等を単独或いは混合して用いることができる。前記防水層３０にパラフィン（paraffin）、動植物の脂肪を少し添加してもよい。
【００１５】
前記ハウジング１００を製造する場合、まず前記防水層３０を前記柔軟層２０の上に形成した後、前記本体１０を前記接着体（防水層３０と柔軟層２０の接着体）に一体に形成することができる。又は、前記本体１０を前記柔軟層２０の上に形成した後、透明な防水膜からなる防水層３０を熱圧方法で前記接着体（本体１０と柔軟層２０の接着体）の上に形成することができる。これで、前記透明な防水膜の材料として、ポリウレタン（polyurethane）、ポリテトラフルオロエチレン（polytetrafluoroethylene）、ポリエステル（Polyester）などを採用することができる。
【００１６】
前記ハウジング１００において、前記本体１０の表面に、皮革又は織物から構成される柔軟層２０が形成されているので、ハウジング１００の手触りを向上させ、外観を美しくすることができる。又、前記柔軟層２０の表面に防水することができる防水層３０が形成されているので、前記柔軟層２０が水又は水分により、硬くなるか、脆くなることを防ぐことができる。
【図面の簡単な説明】
【００１７】
【図１】本発明の実施形態に係るハウジングの断面図である。
【符号の説明】
【００１８】
１０  本体
２０  柔軟層
３０  防水層
１００  ハウジング
【図１】
2009149369.tif 000003